(57)【要約】      （修正有）【課題】ガタ付きによる騒音がなく意図しない扉の外れも発生する事なく、取り扱いが簡単で安価に実施出来るケンドン式箱体における扉の取り付け構造を提供する。【解決手段】物を収納する箱体の本体開口部に着脱可能に配設される扉の取り付け構造であって、箱体本体はその基端部を壁や家具等の固定物に固定され前方に張り出し上方側に配設される天板４と、下方側に天板と平行に前方に張り出す底板５と、天板と底板の縁部とを連結する側板６と、底板の下方に配置されて箱体本体を地表上に搭載するため巾木７とからなり、扉３は天板の前面側に垂下して固定される幕板８と底板との前面に面ファスナ１を介して着脱可能に取り付けられる。扉の下端は地表より人間の指の挿入可能な隙間を形成する位置に配設される。【選択図】図１
0003199055.tif 000002
【実用新案登録請求の範囲】
【請求項１】
物を収納する箱体の箱体本体の開口部に着脱可能に配設される扉の取り付け構造であって、前記箱体本体はその基端部を壁や家具等の固定物に固定され前方に張り出し上方側に配設される天板と、下方側に前記天板と平行に前方に張り出す底板と、前記天板と底板の縁部とを連結する側板と、前記底板の下方に配置されて前記箱体本体を地表上に搭載するため巾木とからなり、前記扉は前記天板の前面側に垂下して固定される幕板と前記底板との前面に面ファスナ（登録商標）を介して着脱可能に取り付けられるものからなり、前記扉の下端は前記地表より人間の指の挿入可能な隙間を形成する位置に配設されることを特徴とするケンドン式箱体における扉の取り付け構造。
【請求項２】
前記扉の内面の下端側には前記扉の閉止において前記底板の上面に当接して前記扉を支持する突出体が固定されることを特徴とする請求項１に記載のケンドン式箱体における扉の取り付け構造。
【考案の詳細な説明】
【技術分野】
【０００１】  本考案は壁や家具等の固定物に固定して配設され物を収納するためのケンドン式箱体の扉の取り付け構造に関するものである。
【背景技術】
【０００２】  箱体の扉としては観音開き型のものや横開きするスライド式のものや扉自体を取り外し及び取り付けする着脱可能のケンドン式のもの等がある。観音開きのものは丁番等が必要になりまわりに隙間がどうしても生ずると共にコスト高のものとなり、スライド式のものはレールや枠が必要となりやはりコスト高となる。一方、ケンドン式箱体は扉が着脱する構造のものからなり、コスト的には他のものに較べて安いメリットがある。本考案はこのケンドン式箱体についての扉の簡単な取り付け構造に関するものである。このケンドン式箱体については各種のものがあるが公知技術として「特許文献１」や「特許文献２」が挙げられるがこれ等は本考案のように扉が完全に取り外し出来るものではない。
【先行技術文献】
【特許文献】
【０００３】
【特許文献１】特開平１１−３３４３７７号（図１）
【特許文献２】特開平１１−１７１０４９号（図１）
【考案の概要】
【考案が解決しようとする課題】
【０００４】  公知文献ではないが扉が着脱出来るケンドン式箱体の扉の取り付け構造としては図３に示すものが挙げられる。図３（ａ）に示すようにこの扉３Ａには天板４の幕板８に係着するＬ型金具９と底板５の前端に固定される保持金具１０（図３（ｂ）に示す）に係着するＬ型金具１１とが必要になる。この構造の場合、幕板８とＬ型金具９との間や保持金具１０とＬ型金具１１との間には隙間が必要となり、騒音発生の原因となる問題点がある。更に、扉３Ａの下端と地表１２との間には隙間１３があり、この隙間１３に靴等の物体が挿入されると保持金具１０とＬ型金具１１との係着が外れ、扉３Ａが外れてしまう危険性もあった。【０００５】  本考案は以上の問題点等を解決すべく考案されたものであり、ガタ付きによる騒音がなく意図しない扉の外れも発生する事なく、取り扱いが簡単で安価に実施出来るケンドン式箱体における扉の取り付け構造を提供する事を目的とする。
【課題を解決するための手段】
【０００６】  本考案は、以上の目的を達成するために、請求項１の考案は、物を収納する箱体の箱体本体の開口部に着脱可能に配設される扉の取り付け構造であって、前記箱体本体はその基端部を壁や家具等の固定物に固定され前方に張り出し上方側に配設される天板と、下方側に前記天板と平行に前方に張り出す底板と、前記天板と底板の縁部とを連結する側板と、前記底板の下方に配置されて前記箱体本体を地表上に搭載するため巾木とからなり、前記扉は前記天板の前面側に垂下して固定される幕板と前記底板との前面に面ファスナ（登録商標）を介して着脱可能に取り付けられるものからなり、前記扉の下端は前記地表より人間の指の挿入可能な隙間を形成する位置に配設されることを特徴とする。【０００７】  また、請求項２の考案は、前記扉の内面の下端側には前記扉の閉止において前記底板の上面に当接して前記扉を支持する突出体が固定されることを特徴とする。
【考案の効果】
【０００８】  本考案の請求項１のケンドン式箱体における扉の取り付け構造によれば、扉は面ファスナを介してのみ箱体本体側に取り付けられるものであり、取り付け作業は容易に行われ、かつ取り外しも容易に出来る。また、面ファスナは安価なものであり、コストの低減が出来る。更に、扉まわりに隙間が出来ず美観の向上も図れる。【０００９】  また、請求項２のケンドン式箱体における扉の取り付け構造によれば、突出体を設けることにより取り付け時における扉の安定保持と位置決めが可能となり安全性の向上と美観の向上が図れる。
【図面の簡単な説明】
【００１０】
【図１】本考案の箱体の外観構造を示す斜視図。
【図２】図１のＡ−Ａ線断面図と扉の面ファスナによる取り付け構造を示す断面図。
【図３】従来のＬ型金具を用いたケンドン式箱体の断面図（ａ）と図３（ａ）における保持金具とＬ型金具の詳細構造を示す斜視図（ｂ）。
【考案を実施するための形態】
【００１１】  以下、本考案のケンドン式箱体における扉の取り付け構造の実施の形態を図面を参照して詳述する。
【００１２】  まず、図１及び図２により本考案のケンドン式箱体１００の全体構造を説明する。ケンドン式箱本１００は箱体本体１００ａとこの開口部を閉止する扉３とからなる。
【００１３】  箱体本体１００ａは後に詳しく説明する天板４と底板５と側板６と巾木７や幕板８等とからなり、この開口部は本実施例では一枚の扉３により閉止されている。このタイプの箱体１００は一般にケンドン（倹鈍）式とリフォーム用語では呼ばれているものである。
【００１４】  天板４は壁や家具等の固定物１４にその基端部を固定し水平に前方に向かって張り出すものからなりその先端に下方に向かって直角に折り曲がる折り曲り部４ａが形成されるものからなる。
【００１５】  底板５は天板と平行に固定物１４より張り出して配設されるものからなり、図１に示すように天板４と底板５との縁部は側板６により連結される。また、底板５の下面側に巾木７が設けられ、巾木は図２に示すように地表１２に当接して箱体１００を安定支持するものからなる。以上の天板４と底板５と側板６により物を収納する空間が形成される。
【００１６】  天板４と底板５と側板６や巾木７により箱体本体１００ａは形成されその前面は開口部１５（図２）が形成され、この開口部１５が扉３により閉止されることになる。なお、巾木７の前端は底板５の先端よりやや引込んだ位置に配設される。
【００１７】  幕板８は天板４の折り曲り部４ａの内側に垂下して固定され下方に向かって少しはみ出した状態で形成されている。この幕板８の前端と底板５の前端はほぼ同一位置に配設される。
【００１８】  扉３は幕板８と底板５の前端に上方及び下方に当接して配置され開口部１５を閉止するものからなる。この扉３と幕板８及び底板５との間には面ファスナ１が介設される。この面ファスナ１はマジックテープと言う俗称があり、（株）クラレの登録商標であるがそのものは一般に販売されている安価なテープである。しかし、面ファスナ１の貼付け力は強く扉３を十分に安定保持することが出来るが手前に扉を引っ張る事によって容易に外すことが出来る。
【００１９】  扉３はその下端と地表１２との間には人間の手の挿入可能な隙間１３が形成され、かつこの下端は底板５の下面よりも下った位置に配設されている。従って、扉３を取り外す場合はこの隙間１３に手を入れ指先で扉３を手前に引っ張ることにより下部の面ファスナ１は簡単に外れ、更に、扉３を保持しながら上部の面ファスナ１を外すことが容易に出来る。
以上により扉３の取り外して容易に出来、逆に取り付けも扉３を保持しながら容易に出来る。
【００２０】  図２に示すように扉３の内面の下方側には突出体２が固定されている。この突出体２は底板５の上面に当接して扉３の下方への移動を拘束するものである。この突出体２により扉３は閉止において安定保持されると共に扉３の取り付け時における姿勢を正しく保持することが出来る。
【００２１】  以上の構造により扉３の取り外しや取り付けが容易に出来ると共にコスト低減も出来、美観の向上も可能となる。なお、面フィスナ１の種類や使用数については扉３の大きさや重量により適宜設定される。
【００２２】  本考案は以上の内容のものからなるが、本考案はこの説明内容に限定するものではなく、同一技術的範疇のものが適用されることは勿論である。
【産業上の利用可能性】
【００２３】  本考案はケンドン式箱体のすべてに適用可能であり、その利用範囲は広い。
【符号の説明】
【００２４】  １        面ファスナ
２        突出体
３        扉
４        天板
４ａ      折り曲り部
５        底板
６        側板
７        巾木
８        幕板
９        Ｌ型金具
１０      保持金具
１１      Ｌ型金具
１２      地表
１３      隙間
１４      固定物
１５      開口部
１００    箱体
１００ａ  箱体本体
【図１】
0003199055.tif 000003
【図２】
0003199055.tif 000004
【図３】
0003199055.tif 000005